(57)【要約】 【課題】  セルフサービス給油所の新設やセルフサービス給油所への改修の際の工数，工期の削減をはかるのに好適な計量機を提供する。【解決手段】  計量機筐体１０に監視カメラ７１，７２を設け、計量機筐体１０内に設けられ計量機各部に駆動電力を分配する電源ボックス３３から、監視カメラ７１，７２の駆動電力の分配を受ける構成にした。【選択図】  図２
2005263255.tif 000002
【特許請求の範囲】
【請求項１】
被供給体に対して燃料を供給する燃料供給手段と、該燃料供給手段による被供給体に対する燃料供給量を計測して表示する計測表示手段とを備えた計量機であって、
計量機筐体に当該計量機の状況を監視するための撮影手段を設け、該撮影手段は、計量機筐体に収容され前記燃料供給手段及び前記計測表示手段に駆動電力を供給する電源回路に接続されて駆動電力を受ける
ことを特徴とする計量機。
【請求項２】
前記撮影手段は複数の撮影モードを有し、
前記撮影手段には当該計量機の特定状況に応じて撮影モードを変更する撮影制御手段が接続され、
該撮影制御手段には当該計量機の特定状況を検出する状況検出手段が接続されている
ことを特徴とする請求項１記載の計量機。
【請求項３】
前記状況検出手段は前記撮影手段の撮影出力に基づき当該計量機の特定状況を検出する
ことを特徴とする請求項２記載の計量機。
【請求項４】
前記撮影手段は複数の表示モードを有する表示手段に撮影画像を出力し、該表示手段には前記状況検出手段に基づく前記撮影制御手段による撮影手段の撮影モードの変更に合わせて当該撮影手段から供給される撮影画像の表示モードの変更を許容する表示制御手段が接続されている
ことを特徴とする請求項２記載の計量機。
【請求項５】
前記撮影手段は計量機筐体に位置を異ならせて複数配置されている
ことを特徴とする請求項１乃至４いずれかに記載の計量機。
【発明の詳細な説明】
【技術分野】
【０００１】
本発明は、燃料供給所に設置され、被供給体に対して燃料を供給する計量機に関する。
【背景技術】
【０００２】
従来、燃料供給所の一例としての給油所（いわゆる、ガソリンスタンド）には、例えばレギュラーガソリン，ハイオクガソリン，軽油といった油液を車両等に対して補給するために、複数の計量機が設置されている。
【０００３】
近年、この種の給油所では、給油管理者の監視の下、顧客自らが、車両のエンジン仕様に応じて補給油種を選択し、計量機に備えられた選択油種に対応する給油ノズルを開閉弁操作して、車両の燃料タンクに給油を行うセルフサービス給油が普及しつつある。
【０００４】
このようなセルフサービス給油では、例えば、顧客は、給油所係員の誘導を特に必要とせずに所望の計量機前方の給油地点に車両を停止させ、案内にしたがって、次のようにしてセルフ給油作業を開始する。
【０００５】
給油料金後払いのセルフ給油作業の場合は、顧客は、計量機又はその近傍に設置されたセルフサービスユニットの操作パネルに備えられたキーを操作して、油種の選択，給油量（補給油量）の選択等といった設定操作を行う。これに対し、給油料金前払いのセルフ給油作業の場合は、顧客は、油種の選択，給油量の選択等といった設定操作に先立って、操作パネルに設けられた紙幣挿入口又はカード挿入口に現金又はプリペイドカードを挿入する。
【０００６】
顧客は、上述した設定操作等を完了したならば、操作パネルに設けられた静電気除去シートに手を触れて身体に帯電している静電気を除去した後、車両の給油口のキャップを取り外して所定のキャップ置きに載置する。その上で、顧客は、計量機筐体に設けられたノズル掛けから選択油種の給油ノズルを取り外し、その筒先を車両の給油口に挿入して給油ノズルの操作レバーを開弁操作する。
【０００７】
その際、給油管理者は、給油事務所内の監視モニタ表示器に表示される、給油地点上方の給油所建屋のキャノピー等に設けられた監視カメラによって撮影された給油地点の画像を監視しながら、顧客の作業手順や作業内容等に誤りがないか否かを視認する。給油管理者は、顧客の作業手順や作業内容等に誤りがなく危険がない場合は、計量機及びサービスユニットと信号接続された給油事務所内の給油管理制御装置を操作して、当該顧客のセルフ給油作業を許可する。この場合、給油管理者は、その許可を給油管理制御装置の操作パネルに設けられた対応する計量機の駆動許可キーを操作することにより行う。これにより、給油管理制御装置から当該顧客がセルフ給油作業に使用する計量機に対して、ポンプ等の燃料供給手段の駆動許可信号が送信される。計量機に備えられたポンプ等の燃料供給手段はこの駆動許可信号の受信によって起動可能になり、前述した給油ノズルのノズル掛けからのノズル外し信号の入力と駆動許可信号の入力とによって駆動される。
【０００８】
顧客は、選択した給油量に応じた所望量の給油を完了したならば、給油ノズルを閉弁操作する。そして、給油ノズルを車両給油口から抜き、計量機筐体に設けられたノズル掛けに掛け戻す。
【０００９】
その上で、顧客は、給油料金後払いのセルフ給油作業の場合は、計量機又はセルフサービスユニットの操作パネルのレーシート発行部から排出される精算伝票を受け取って給油所事務所に持参し、料金支払を行ってセルフ給油作業を終了する。また、給油料金前払いのセルフ給油作業の場合は、計量機又はセルフサービスユニットの操作パネルのカード排出口から排出されるプリペイドカードを受け取ってセルフ給油作業を終了し、また現金給油で釣銭が生じた場合は、計量機又はセルフサービスユニットの操作パネルのレーシート発行部から排出される釣銭伝票を受け取って給油所事務所に持参し、釣銭を受け取ってセルフ給油作業を終了する。
【００１０】
【特許文献１】特開２０００−２３８８９９号公報
【発明の開示】
【発明が解決しようとする課題】
【００１１】
しかしながら、上述したセルフサービス給油所にあっては、顧客によるセルフ給油作業の許可・不許可を確認するためのモニタ画像を取得するための監視カメラが、給油地点上方の給油所建屋のキャノピー等に計量機とは別体に離れて設けられているため、次のような問題点があった。
【００１２】
すなわち、監視カメラと計量機とが別体に離れて設けられているため、それぞれの機器に対して駆動電力を供給するための電源線を敷設する必要があり、セルフサービス給油所の新設、既存の給油所係員が給油作業を行うフルサービス給油所のセルフサービス給油所への改修の際には、監視カメラ専用の電源線を別途新たに敷設しなければならず、その分だけ余計に工数，工期がかかるという問題点があった。
【００１３】
また、例えば特開２０００−２３８８９９号公報に記載されている如く、計量機の状況に応じて、給油管理者がセルフ給油作業の許可待ちの給油地点に関する監視画像をモニタ画面上に拡大表示する技術を採用する場合にあっても、監視カメラの撮影モードが単一であるので、拡大表示した監視画像自体が粗い画像となり、視認性を飛躍的に向上させることはできないという問題点があった。そのため、拡大表示した場合の監視画像に合わせて監視カメラの撮影モードを予め設定しておくことも考えられるが、拡大表示に対する通常表示の監視画像が必要以上に精緻となるためモニタ画面を表示駆動する表示制御手段に負担をかけたり、監視カメラが防犯カメラをも兼ねる場合には記録可能な画像容量の低下を招いたりする。
【００１４】
本発明は、上述した問題点を鑑みてなされたものであって、セルフサービス給油所の新設やセルフサービス給油所への改修の際の工数，工期の削減をはかるのに好適な計量機を提供することを目的とする。
【００１５】
また、本発明は、セルフ給油作業の許可待ちの給油地点に関する監視画像をモニタ画面上に拡大表示する場合であっても、その視認性を向上させた計量機を提供することを目的とする。
【課題を解決するための手段】
【００１６】
本発明の計量機は上述した課題を解決するために、被供給体に対して燃料を供給する燃料供給手段と、該燃料供給手段による被供給体に対する燃料供給量を計測して表示する計測表示手段とを備えた計量機であって、計量機筐体に当該計量機の状況を監視するための撮影手段を設け、該撮影手段は、計量機筐体に収容され前記燃料供給手段及び前記計測表示手段に駆動電力を供給する電源回路に接続されて駆動電力を受けることを特徴とする。
【００１７】
また、本発明の計量機では、前記撮影手段は複数の撮影モードを有し、前記撮影手段には当該計量機の特定状況に応じて撮影モードを変更する撮影制御手段が接続され、該撮影制御手段には当該計量機の特定状況を検出する状況検出手段が接続されていることを特徴とする。
【００１８】
また、本発明の計量機では、前記状況検出手段は前記撮影手段の撮影出力に基づき当該計量機の特定状況を検出することを特徴とする。
【００１９】
また、本発明の計量機では、前記撮影手段は複数の表示モードを有する表示手段に撮影画像を出力し、該表示手段には前記状況検出手段に基づく前記撮影制御手段による撮影手段の撮影モードの変更に合わせて当該撮影手段から供給される撮影画像の表示モードの変更を許容する表示制御手段が接続されていることを特徴とする。
【００２０】
さらに、本発明の計量機では、前記撮影手段は、計量機筐体に位置を異ならせて複数配置されていることを特徴とする。
【発明の効果】
【００２１】
本発明によれば、計量機の状況を監視するための撮影手段を計量機筐体自体に設け、この撮影手段を計量機筐体に収容され燃料供給手段及び前記計測表示手段に駆動電力を供給する電源回路に接続し、この電源回路から駆動電力を得る構成としたので、監視カメラ専用の電源線を別に敷設する必要がなく、その分だけセルフサービス給油所の新設やセルフサービス給油所への改修の際の工数，工期が短縮できる。
【００２２】
また、本発明によれば、計量機の状況を監視するための撮影手段は、複数の撮影モードを有し、撮影制御手段によって、状況検出手段が検出する当該計量機の特定状況に応じて撮影モードを変更する構成としたので、当該計量機の特定状況の監視画像をモニタ画面上に拡大表示する場合であっても、拡大表示した監視画像自体の画像劣化を抑制して、その視認性を飛躍的に向上させることができる。また、拡大表示に対する通常表示の監視画像が必要以上に精緻となってモニタ画面を表示駆動する表示制御手段に負担をかけたり、監視カメラが防犯カメラをも兼ねる場合でも記録可能な画像容量の低下を招くことを防止できる。
【発明を実施するための最良の形態】
【００２３】
次に本発明の一実施の形態に係る計量機について、図１に示す如くの給油料金後払い方式のセルフサービス給油システムに適用した場合を例に説明する。
【００２４】
図１は、本発明の一実施の形態に係る計量機を適用して構成したセルフサービス給油システムの構成例を示した図である。
【００２５】
図１に示すセルフサービス給油システム１００は、給油所屋外１０１に設置され、車両等に油液の補給を行い、その補給量（すなわち給油量）を計測して表示する複数台の本実施の形態による計量機１−１〜１−Ｎと、給油所事務所１０２に設置され、計量機１−１〜１−Ｎそれぞれと給油作業に関するデータの送受信を行って計量機１−１〜１−Ｎそれぞれの状況を監視すると共に、計量機１−１〜１−Ｎそれぞれの作動を管理し、給油料金の精算処理等の給油管理処理を行う給油管理制御装置２００とを備えて構成される。
【００２６】
給油管理制御装置２００と、各計量機１−１〜１−Ｎとの間は、給油所敷地内に敷設されたＳＳ−ＬＡＮ（ローカル・エリア・ネットワーク）１１０を介して、相互にデータ送受信可能にシリアルデータ伝送接続されている。次に、図２及び図３により、本実施の形態による計量機１（１−１〜１−Ｎ）の詳細な構成について説明する。
【００２７】
図２は、本発明の一実施形態の形態に係る計量機の正面図である。
図３は、図２に示した本発明の一実施形態の形態に係る計量機の側面図である。
【００２８】
図２において、本実施の形態の計量機１は、下部筺体部１１と、柱部１３を介して下部筺体部１１に対して空間を空けて上方に支持された上部筺体部１２とからなる計量機筺体１０を備えて構成されている。そして、本実施の形態の場合、下部筺体部１１は、さらに機器収納部１４と表示器部１５とに上下方向に分割されている。
【００２９】
本実施の形態の計量機１では、その計量機筺体１０の正面１０Ｆ及び背面１０Ｂは同様の外観装置構成を有する。図３に示すように、計量機筺体１０の正面１０Ｆ及び背面１０Ｂそれぞれ前方には、独立して互いに給油作業が行える２つ給油地点（給油車両停車地点）１Ｆ，１Ｂが形成される構成になっている。ここでは、給油地点１Ｆを形成する計量機筺体１０の正面１０Ｆの外観装置構成をもとに、計量機筺体１０の各部構成について説明し、計量機筺体１０の背面１０Ｂの構成については、その説明を省略する。
【００３０】
下部筺体部１１の機器収納部１４には、車両等の燃料タンク（被供給体）の給油口に筒先を挿入され、操作レバーの操作に基づき油液の供給遮断をマニュアル操作可能な給油ノズル２１が収納されるノズル掛け２２が配置されている。給油ノズル２１は、本実施の形態の計量機１の場合、１つ給油地点１Ｆで、ハイオクガソリンＰ，レギュラーガソリンＲ，軽油Ｄの３油種の中、いずれの油種であっても給油できるように、各油種それぞれに対応させて３つの給油ノズル２１Ｒ，２１Ｐ，２１Ｄが１つ給油地点１Ｆに対して配置されている。この関係から、機器収納部１４には、これら３つの給油ノズル２１Ｒ，２１Ｐ，２１Ｄに対応させて３つのノズル掛け２２Ｒ，２２Ｐ，２２Ｄが設けられている。
【００３１】
機器収納部１４の内部には、給油ノズル２１Ｒ，２１Ｐ，２１Ｄそれぞれに対応させて、各級油ノズル２１に油液を供給するポンプ等の送液機器や、当該送液機器によって給油ノズル２１に供給された油液の量（すなわち、給油量）を計測するための流量計等の流量計測機器が収容されている。なお、流量計によって計測された油液は、柱部１３内を延説された配管を介して上部筺体部１２に導かれ、それぞれ上部筺体部１２から導出されているホース２３Ｒ，２３Ｐ，２３Ｄを介して対応する給油ノズル２１Ｒ，２１Ｐ，２１Ｄに供給されるようになっている。
【００３２】
また、下部筺体部１１の機器収納部１４には、給油所地下に敷設された電源線３１及び前述したＳＳ−ＬＡＮ１１０の伝送線３２等がその底面側から内部に導かれている。機器収納部１４内に導かれた電源線３１は、計量機１内の各電気機器（例えば、送液機器としてのポンプ等）及び電気回路部（後述の計量機制御装置３５等）に駆動電力を分配供給する電源ボックス（すなわち電源回路に対応）３３に接続されている。一方、伝送線３２は計量機各部を制御する計量機制御装置３５の伝送インタフェースに接続されている。
【００３３】
また、下部筺体部１１の表示器部１５には、給油量等の給油情報や、セルフ給油作業における作業手順及び作業内容の案内等を表示する表示器４０、セルフ給油作業における設定作業等を行うための操作パネル５０等が配置されている。
【００３４】
表示器４０は、例えばＬＣＤ（Liquid Crystal Display），ＥＬＤ（Electro Luminescence Display）等の画面表示器によって構成され、セルフ給油作業時における給油量、この給油量に給油単価を乗算して演算される給油金額といった給油情報の他、セルフ給油作業における作業手順やその作業内容が動画により案内表示される構成になっている。
【００３５】
操作パネル５０は、顧客がセルフ給油作業を行うに際して、所望の油種や所望の給油量を設定操作するためのもので、ハイオクガソリンＰ，レギュラーガソリンＲ，軽油Ｄといった給油可能油種それぞれの油種選択キー５１と、満タン給油キー５２及びプリセット給油における例えば１０，２０，３０リットルといった給油量プリセット値毎、１０００，３０００、５０００円といった給油金額プリセット値毎のプリセット値設定キー５３と、これらキー５１〜５２により設定操作した油種及び給油量についての確認（確定）又は取消を行うための確認キー６５及び取消キー６６が配置されている。
【００３６】
また、本実施の形態の計量機１の場合、この操作パネル５０には、操作パネル５０前方に、図３に示すように、操作パネル５０を操作しようとしている顧客Ｃが立っているのを検出する人検知センサ（例えば赤外線センサ）５５と、顧客が給油口のキャップを取り外す前に手を触れることによって顧客の身体に帯電している静電気を除去する静電気除去シート５６、給油所事務所１０２にいる給油管理者との間で相互会話を行うためのインタホン子機５７と、セルフ給油作業の作業手順等の操作を発声案内する音声報知手段のスピーカ５８と、セルフ給油作業終了後にその際の給油量や給油金額に対応した精算伝票を発行する精算伝票発行部５９と、セルフ給油作業の際に給油口から取り外された給油口のキャップを保持しておくキャップ置き場６０に、セルフ給油作業終了後も給油キャップが置き忘れたままになっているのを報知するキャップ忘れ報知器６１とが、一体的に配置されている。
【００３７】
そして、下部筺体部１１の表示器部１４における操作パネル５０の配置箇所の上方側部分には、操作パネル５０を操作する顧客の平均的な顔高さ位置に合わせて、第１の監視カメラ７１が撮影方向を計量機筺体１０の正面１０Ｆ側に臨ませて設けられている。
【００３８】
また、下部筺体部１１と、柱部１３を介して下部筺体部１１に対して空間を空けて上方に支持された上部筺体部１２にも、計量機筺体１０の正面１０Ｆ側に臨ませて、第２の監視カメラ７２が設けられている。
【００３９】
そして、第１の監視カメラ７１と第２の監視カメラ７２との撮影方向の傾きは、本実施の形態の場合、図３に示したように、第１の監視カメラ７１に対して第２の監視カメラ７２の方が上下方向の傾斜を有して構成され、第２の監視カメラ７２では、顧客の頭上、斜め上方から給油地点１Ｆの画像を撮影できる構成になっている。
【００４０】
そして、第１の監視カメラ７１及び第２の監視カメラ７２とも、前述した下部筺体部１１の機器収納部１４に設けられた電源ボックス３３から駆動電力の分配を受ける構成となっている。そのため、第１の監視カメラ７１及び第２の監視カメラ７２とも、専用の電源線を、計量機１の電源線３１とは別に敷設する必要がない。
【００４１】
また、本実施の形態では、第１の監視カメラ７１及び第２の監視カメラ７２とも、例えば、解像度（撮影画素数）変更機構又はズーム機構等といった電気的又は光学的な撮影モード変更機構を備えている。第１の監視カメラ７１及び第２の監視カメラ７２とも、その撮影モード変更機構を外部制御信号に応じて作動させて、その撮影モードを変更できる構成になっている。本実施の形態では、第１の監視カメラ７１及び第２の監視カメラ７２は、外部制御信号に応じて、例えば画像１コマを画素数２４０×１６０ドットとして撮影する標準解像度撮影モードと、画素数３２０×２４０ドットで撮影する高解像度撮影モードとのいずれかを選択できるとともに、さらにズーム撮影機構によって標準モードに対して広角撮影モードと望遠（拡大）撮影モードとが選択できるようになっている。したがって、その組み合わせ上では合計６通りの撮影モードが備えられている。
【００４２】
そして、第１の監視カメラ７１及び第２の監視カメラ７２は、その撮影画像が、図１及び図２に示すように、ＳＳ−ＬＡＮ１１０とは別の、ＳＳ−ＬＡＮ１１０に沿わせて敷設した画像データ専用送信線３３を介して、後述する給油管理制御装置２００の表示制御装置２４０に供給される構成になっている。
【００４３】
また、本実施の形態では、上述した第１の監視カメラ７１及び第２の監視カメラ７２の場合と同様に、インタホン子機５７も、ＳＳ−ＬＡＮ１１０とは別の、ＳＳ−ＬＡＮ１１０に沿わせて敷設した音声信号専用送受線３４を介して、給油管理制御装置２００に設けられてインタホン親機２１０との間で音声信号が送受される構成になっている。
【００４４】
次に、給油管理制御装置２００の構成について、図１に基づき詳述する。
給油管理制御装置２００は、各計量機１の計量機制御装置３５とＳＳ−ＬＡＮ１１０を介してシリアル伝送接続された給油管理装置２１０と、各計量機１のインタホン子機５７それぞれと音声信号専用送受線３４を介して接続されたインタホン親機２２０と、同一画面上で各計量機１の給油地点１Ｆ，１Ｂの監視カメラ７１，７２による撮影画像を分割表示可能な監視モニタ表示器２３０と、各計量機１にそれぞれ設けられた監視カメラ７１，７２からの撮影画像が供給され、給油管理装置２１０から供給される制御信号に基づいて、監視モニタ表示器２３０による各計量機１の給油地点１Ｆ，１Ｂの表示内容を表示制御する表示制御装置２４０とを備えて構成される。
【００４５】
給油管理装置２１０は、ＳＳ−ＬＡＮ１１０を介して、各計量機１の計量機制御装置３５から、各計量機１の給油地点１Ｆ，１Ｂそれぞれの状況を得る。例えば、この状況情報の一例としては、セルフ給油作業を行うに際して、顧客が操作パネル５０の油種選択キー５１，満タン給油キー５２，又はプリセット値設定キー５３等を操作して設定したセルフ給油作業における設定情報を得る。また、顧客のノズル掛け２２に対する給油ノズル２１の掛け外しに対応して開閉するノズル掛け２２に付設されたノズルスイッチの出力に基づき、セルフ給油作業の開始準備完了状態（給油許可待ち状態）又は今回のセルフ給油作業における作業終了状態の作業情報を得る。また、計量機制御装置３５から給油作業終了時に供給される給油量，給油金額から今回給油作業における給油情報を得る。
【００４６】
そして、給油管理装置２１０は、これら取得した情報から、計量機１それぞれの状況を検出し、検出した状況を給油管理装置２１０に設けられた表示部２１１に表示する。給油管理者は、検出した状況を給油管理装置２１０の表示部２１１により確認しながら、予め定められた各計量機１毎の特定の状況では、監視モニタ表示器２３０に表示されている当該計量機１の撮影画像の表示を他の計量機１の撮影画像の表示に対して拡大表示したり、当該計量機１の位置の給油地点１Ｆ（１Ｂ）についての監視カメラ７１，７２それぞれの撮影画像間で、一方の監視カメラ７１（７２）による撮影画像の表示を他方の監視カメラ７２（７１）による撮影画像の表示に対して拡大したり、一方の監視カメラ７１（７２）による撮影画像の表示と他方の監視カメラ７２（７１）による撮影画像の表示を切り換え表示したり等、操作部２１２のキーを操作して指定できるようになっている。また、給油管理装置２１０には、インタホン親機２２０からもその状況が提供され、呼出し又は交信中のインタホン子機５７に対応する計量機１の給油地点１Ｆ，１Ｂに対応した監視カメラ７１，７２による撮影画像の表示も、他の計量機１の給油地点の画像に対して識別しやすいように自動的に予め定められた特殊表示を指示する構成になっている。
【００４７】
また、給油管理装置２１０の操作部２１２には、ＳＳ−ＬＡＮ１１０を介して接続された各計量機１−１〜１−Ｎを、個別にかつ給油地点１Ｆ，１Ｂ別に給油許可するための給油許可キーが設けられている。給油管理者が所定の計量機１の給油地点１Ｆ（１Ｂ）を指定してこの給油許可キーを操作することにより、給油管理装置２１０は、指定された給油地点１Ｆ（１Ｂ）に対応する計量機１の燃料供給系の計量機制御装置３５に対して、ＳＳ−ＬＡＮ１１０を介し給油許可を送信する構成になっている。
【００４８】
表示制御装置２４０は、給油管理装置２１０からの上述した表示指示に基づき、監視モニタ表示器２３０の表示制御を行うとともに、画像記録手段、画像記録制御手段、特定状況画像判別手段を備え、防犯、防災記録装置としても機能可能になっている。
【００４９】
画像記録手段は、記録媒体又は記録素子を備え、画像記録制御手段の記録指示に基づき、各計量機１の給油地点１Ｆ（１Ｂ）毎の監視カメラ７１，７２によって撮影された撮影画像を蓄積する。
【００５０】
特定状況画像判別手段は、各計量機１の給油地点１Ｆ（１Ｂ）毎に監視カメラ７１，７２から供給される撮影画像から予め定められた特徴画像を検出することにより、特定状況を判別し、判別結果を画像記録制御手段に供給する。
【００５１】
ここで、特定状況画像判別手段が判別する特定状況としては、監視カメラ７１，７２から定期的に供給される撮影画像間における撮影画像の振動に基づく地震・衝撃発生判別、下部筺体部１１に設けられた第１の監視カメラ７１から供給される撮影画像の明るさ急変に基づく第１の監視カメラ７１の撮影妨害判別である。
【００５２】
画像記録制御手段は、通常は、各計量機１の給油地点１Ｆ（１Ｂ）毎の監視カメラ７１，７２から供給され撮影画像を２４０×１６０ドットの標準記録精度で１０秒毎に１コマずつ画像記録手段に蓄積記録する。また、特定状況画像判別手段からある計量機１の給油地点１Ｆ（１Ｂ）に関し地震・衝撃発生判別が供給された場合は、画像記録制御手段は、該当計量機１の給油地点１Ｆ（１Ｂ）に対応する監視カメラ７１，７２の撮影画像を、３２０×２４０ドットの高記録精度で１秒間に１０コマずつ予め定められた所定時間の間、画像記録手段に蓄積記録する。また、特定状況画像判別手段からある計量機１の給油地点１Ｆ（１Ｂ）に関し、撮影妨害判別が供給された場合は、画像記録制御手段は、撮影妨害判別が検出されなくなるまで、対応する計量機１の給油地点１Ｆ（１Ｂ）の第２の監視カメラ７２から供給される撮影画像を３２０×２４０ドットの高記録精度で１秒間に１０コマずつ画像記録手段に蓄積記録する。
【００５３】
次に、各計量機１の給油地点１Ｆに対応して設けられた監視カメラ７１，７２の撮影制御構成について、図４に基づき説明する。
【００５４】
図４は、図２に示した本発明の一実施の形態に係る計量機における監視カメラの制御手段の機能ブロック図である。
【００５５】
図４において、第１の監視カメラ７１及び第２の監視カメラ７２は、撮影制御部８１から供給される制御信号に基づいて、それぞれ備えられた撮影モード変更機構７３を作動させて、画像１コマを画素数２４０×１６０ドットとして撮影する標準解像度撮影モードと、画素数３２０×２４０ドットで撮影する高解像度撮影モードとのいずれかを選択できるとともに、さらにズーム撮影機構によって標準撮影モードに対して広角撮影モードと望遠（拡大）撮影モードとが選択できるようになっている。
【００５６】
撮影制御部８１には、特定状況画像検出部８２と接続されているとともに、操作パネル５０に配置された人検知センサ５５の検知信号，操作パネル５０の確認キー６５の操作信号，給油管理装置２１０から送信された給油許可の受信信号，及びノズル掛け２２Ｒ，２２Ｐ，２２Ｄにそれぞれ付設され給油ノズル２１の掛け外しに対応して開閉するノズルスイッチ８３（８３Ｒ，８３Ｐ，８３Ｄ）の検出信号が、計量機制御装置３５を介して供給される。
【００５７】
特定状況画像検出部８２は、前述した表示制御装置２４０に備えられた特定状況画像判別手段と同様な構成を備え、本実施の形態の場合は、地震・衝撃発生検出部８２１，パネル部扉開検出部８２２，車両検出部８２３，画像明るさ急変検出部８２４とを備える。特定状況画像検出部８２には、第１の監視カメラ７１及び第２の監視カメラ７２からそれぞれ随時出力される撮影画像が供給されている。
【００５８】
ここで、地震・衝撃発生検出部８２１は、計量機筐体１０に固定設置されている監視カメラ７１，７２の少なくとも一方の撮影画像出力を所定時間（所定コマ数）分だけ蓄積し、前後の画像間で所定量以上のブレが生じていないか等に基づいて、地震発生や計量機筐体１０に加えられた衝撃（例えば、車両の接触等）を検出する。
【００５９】
パネル部扉開検出部８２２は、図３に示すような計量機筐体１０の下部筐体部１１のパネル面をも撮影範囲に含む第２の監視カメラ７２の撮影画像出力に基づいて、通常は閉錠されている操作パネル５０の開閉扉部５４（図２参照）が開放状態になっていることを検出する。本実施の形態の説明では、計量機１は、給油料金後払い方式のセルフサービス給油システムに適用した場合で説明しているが、計量機１を給油料金前払い方式のセルフサービス給油システムに適用した場合は、操作パネル５０に紙幣挿入口が形成され、操作パネル５０の内方の表示器部１５には紙幣収納部が設置される。パネル開閉検出部８２２は、計量機１を給油料金前払い方式のセルフサービス給油システムに適用した場合に、盗難センサとして機能する。
【００６０】
車両検出部８２３は、監視カメラ７１，７２の少なくとも一方の撮影画像出力に基づき、給油地点１Ｆに車両が停車しているのを検出する。
【００６１】
画像明るさ急変検出部８２４は、監視カメラ７１の撮影画像の明るさがそのレンズ部分を覆われる、例えばスポットライトによって過度の光が入射される等して、撮影画像の明るさが急変したのを検出する。
【００６２】
そして、撮影制御部８１は、計量機１の状況検出手段としての、特定状況画像検出部８２の各検出部８２１〜８２４，人検知センサ５５，ノズルスイッチ８３（８３Ｒ，８３Ｐ，８３Ｄ），及び操作パネル５０の確認キー６５からの、検出信号や操作信号に基づき、図５，図６に示すように、第１の監視カメラ７１及び第２の監視カメラ７２にそれぞれ備えられた撮影モード変更機構７３を作動制御する。
【００６３】
図５，図６は、図２に示した本発明の一実施形態の形態に係る計量機における監視カメラの制御フローチャートの一実施例である。
【００６４】
撮影制御部８１は、車両検出部８２３が給油地点１Ｆに車両が停車していない待機状態（図５、ステップＳ01における“NO”の場合）は、監視カメラ７１，７２とも、標準解像度撮影モード及び標準撮影モードで撮影を行わせている。
【００６５】
そして、給油地点１Ｆに車両が停車すると（ステップＳ01における“YES”の場合）、撮影制御部８１は、車両検出部８２３からの車両停車検知出力を受けて、第１の監視カメラ７１及び第２の監視カメラ７２の解像度撮影モードを、標準解像度撮影モードから高解像度撮影モードにモード変更する（ステップＳ02）。この車両検出部８２３の車両停車検知出力は計量機制御装置３５にも供給され、表示器４０及びスピーカ５８からは操作案内が報知される（ステップＳ03）。
【００６６】
顧客が、このステップＳ03の操作案内に従って静電気除去シート５６に手を触れると、人検知センサ５５が顧客を検出する（ステップＳ04）。
【００６７】
撮影制御部８１は、この人検知センサ５５からの人検知出力を受けて、第１の監視カメラ７１の撮影モードを広角撮影モードに変更して（ステップＳ08）、設定作業を行う顧客の顔を鮮明に撮影できる撮影モードにする。この場合、計量機１では、表示器４０に設定作業の操作案内が表示される（ステップＳ09）。
【００６８】
なお、撮影制御部８１は、人検知センサ５５からの人検知出力を受ける前に、車両検出部８２３からの車両停車検知出力が消失してしまった場合は（ステップＳ05）、第１の監視カメラ７１及び第２の監視カメラ７２の解像度撮影モードを、高解像度撮影モードから標準解像度撮影モードにモード変更する（ステップＳ06）。この場合、計量機１では、表示器４０にキャンペーン情報が表示され（ステップＳ07）、計量機１は待機状態に戻る。
【００６９】
そして、顧客が操作パネル５０から油種及び給油量の設定作業を行い（ステップＳ10）、設定作業の完了を表わす確認キー６５を操作すると（ステップＳ11）、計量機１では、表示器４０及びスピーカ５８から給油ノズル２１の操作案内が報知される（ステップＳ14）。取消キー６６を操作すると（ステップＳ12）、油種及び給油量の設定作業に戻る。
【００７０】
撮影制御部８１は、確認キー６５の操作による設定作業完了を受けて、第１の監視カメラ７１の撮影モードを標準撮影モードに戻した上で、給油管理者が監視モニタ表示器２３０で給油口及びその近傍の様子を確認し易いように、第２の監視カメラ７２の撮影モードを標準撮影モードから望遠（拡大）撮影モードに変更する（ステップＳ13）。
【００７１】
これにより、顧客が設定した油種の給油ノズル２１をノズル掛け２２から取り外して給油口に挿入する際、第２の監視カメラ７２は、給油地点１Ｆを全体的にではなく、車両の給油口周辺部分を鮮明に撮影できる。したがって、給油管理者が、給油ノズル２１が安全に給油口に挿入されて掛止されているか等を確認するため、監視モニタ表示器２３０の画面上で第２の監視カメラ７２による撮影画像の表示を拡大表示しても、第２の監視カメラ７２は、高解像度撮影モードになり、さらには望遠（拡大）撮影モードにもなっているので、拡大表示した画像が粗くなって視認しにくいものになってしまうこともない。
【００７２】
給油管理者が、給油ノズル２１が安全に給油口に挿入されたことを確認し、給油管理装置２１０の操作部２１２を給油許可操作すると、当該計量機１の計量機制御装置３５には、ＳＳ−ＬＡＮ１１０を介して、給油管理装置２１０から発信された給油許可が受信されることになり（ステップＳ15）、計量機１は、設定油種のポンプが起動され、車両の燃料タンクに対する給油が開始される（ステップＳ17）。
【００７３】
撮影制御部８１は、給油管理装置２１０から発信された給油許可が受信されると（ステップＳ15）、第２の監視カメラ７２の撮影モードを望遠（拡大）撮影モードから標準撮影モードに戻す（ステップＳ16）。
【００７４】
そして、顧客は、計量機１の表示器４０に表示される給油量等の給油情報を見ながら給油作業を行う（ステップＳ18）。顧客は、所望量の給油が完了したならば、給油ノズル２１を閉弁操作して給油口から外し、ノズル掛け２２に掛け戻す。
【００７５】
計量機１では、顧客により給油ノズル２１をノズル掛け２２に掛け戻されたのを、ノズル掛け２２に設けられたノズルスイッチ８３の出力に基づき確認すると（ステップＳ19）、精算伝票発行部５９から精算伝票が発行される（ステップＳ20）。顧客はこれを受け取って給油所事務所に持参し、料金支払を行ってセルフ給油作業を終了する。
【００７６】
撮影制御部８１は、このノズルスイッチ８３の出力に基づく給油作業の終了を受けると（ステップＳ19）、第１の監視カメラ７１及び第２の監視カメラ７２の解像度撮影モードを、高解像度撮影モードから標準解像度撮影モードにモード変更する（ステップＳ21）。  これにより、計量機１及びその撮影制御部８１は、待機状態に戻る。
【００７７】
また、撮影制御部８１は、上述した給油作業時における制御処理とは別に、割り込み処理によって、随時、図７に示すような異常時制御処理も行っている。
【００７８】
図７は、図２に示した本発明の一実施形態の形態に係る計量機における監視カメラの異常検出時における制御フローチャートの一実施例である。
【００７９】
撮影制御部８１は、特定状況画像検出部８２の地震・衝撃発生検出部８２１から地震検出を受けると（ステップＳ31）、第１の監視カメラ７１及び第２の監視カメラ７２とも、優先的に解像度撮影モードを標準解像度撮影モードから高解像度撮影モードにモード変更し、撮影モードを標準撮影モードから広角撮影モードに変更する（ステップＳ32）。
【００８０】
また、特定状況画像検出部８２のパネル部扉開検出部８２２から扉開検出を受けると（ステップＳ33）、第１の監視カメラ７１及び第２の監視カメラ７２とも、優先的に解像度撮影モードを標準解像度撮影モードから高解像度撮影モードにモード変更するとともに、第１の監視カメラ７１の撮影モードを広角撮影モードに変更する（ステップＳ34）。
【００８１】
また、例えば、粘着テープでレンズ部を覆われる等によって、特定状況画像検出部８２の明るさ急変検出部８２４から第１の監視カメラ７１の明るさ急変の検出を受けると（ステップＳ35）、第２の監視カメラ７２を、優先的に解像度撮影モードを標準解像度撮影モードから高解像度撮影モードにモード変更する（ステップＳ36）。
【００８２】
これにより、地震発生の際は、計量機１周辺の被害を広域的に確認することができ、操作パネル５０の開閉扉部５４が開かれた際には、開扉した人物の顔を夜間であっても鮮明に撮影でき、故意に比較的低所にある第１の監視カメラ７１による撮影を妨害された際には、計量機周辺の状況を高所にある第２の監視カメラ７２により高解像度で撮影できるようになっている。
【００８３】
そして、撮影モード変更後、撮影制御部８１は、例えば、給油管理装置２００の操作部２１２のキーの特殊操作、所定時間経過、等によって計量機制御装置３４を介してリセット信号が入力された場合には（ステップＳ37）、第１の監視カメラ７１及び第２の監視カメラ７２とも、解像度撮影モードを標準解像度撮影モードに戻し、撮影モードも標準撮影モードに戻す（ステップＳ38）。
【００８４】
本実施の形態の計量機１は、以上、説明したとおりであるが、本発明の計量機は上述した実施の形態の構成に限るものではない。
【００８５】
例えば、計量機１では、計量機筐体を、下部筺体部１１と、柱部１３を介して下部筺体部１１に対して空間を空けて上方に支持された上部筺体部１２とからなる構成としたが、これに限るものではなく、単一の筺体部から構成される計量機筐体や、ポンプ等の機器が収納される筐体部と、操作パネルや表示器が設けられる筐体部とが分離し、地上に離間して設置される計量機筐体であっても構わず、その場合、監視カメラは給油作業の仕方との兼ね合いで、顧客の顔を確認し易く、顧客車両の給油口周辺が確認し易い計量機筐体の適宜箇所に設ければよい。さらに、監視カメラの数は２基に限るものではなく、１基や３基以上であってもよい。
【００８６】
また、前記実施の形態では、撮影制御部８１は計量機制御装置３５とは互いに独立した個別のものであるかのように説明したが、計量機制御装置３５が撮影制御部８１の機能を併せ持つ構成としてもよい。この場合、監視カメラが撮影した撮影画像をＳＳ−ＬＡＮ１１０を介して給油所事務所１０２の表示制御装置２４０に送信することも可能である。また、撮影モードの具体的な変更手順も、前記実施の形態に限るものではなく、給油作業手順等に合わせて、種々の変形が可能である。
【図面の簡単な説明】
【００８７】
【図１】本発明の一実施形態の形態に係る計量機を適用して構成したセルフサービス給油システムの構成例を示した図である。
【図２】本発明の一実施形態の形態に係る計量機の正面図である。
【図３】図２に示した本発明の一実施形態の形態に係る計量機の側面図である。
【図４】図２に示した本発明の一実施形態の形態に係る計量機における監視カメラの制御手段の機能ブロック図である。
【図５】図２に示した本発明の一実施形態の形態に係る計量機における監視カメラの制御フローチャートの一実施例である。
【図６】図５に示した本発明の一実施形態の形態に係る計量機における監視カメラの制御フローチャートの一実施例の続きである。
【図７】図２に示した本発明の一実施形態の形態に係る計量機における監視カメラの異常検出時における制御フローチャートの一実施例である。
【符号の説明】
【００８８】
１  計量機
１Ｆ，１Ｂ  給油地点（給油車両停車地点）
１０  計量機筺体
３１  電源線
３３  電源ボックス（電源回路に対応）
３５  計量機制御装置
４０  表示器
５０  操作パネル
５５  人検知センサ
５７  インタホン
６５  確認キー
７１  第１の監視カメラ
７２  第１の監視カメラ
７３  撮影モード変更機構
８１  撮影制御部
８２  特定状況画像検出部
２００  給油管理制御装置
２１０  給油管理装置
２２０  インタホン親機
２３０  監視モニタ表示器
２４０  表示制御装置
【図１】
2005263255.tif 000003
【図２】
2005263255.tif 000004
【図３】
2005263255.tif 000005
【図４】
2005263255.tif 000006
【図５】
2005263255.tif 000007
【図６】
2005263255.tif 000008
【図７】
2005263255.tif 000009